(57)【特許請求の範囲】
【請求項１】
自転車のフレームに沿って保持されるケーブルの保護装置であって、
フレームに設けられてケーブルを保持する保持部材と、保持部材と共にケーブルを覆う着脱自在なカバーとを有し、
保持部材は、フレームに設けられる第１の部材と、第１の部材に着脱自在な第２の部材と、第１の部材と第２の部材とで囲まれた保持空間とを有し、
ケーブルは保持空間内に保持され、
第１の部材は相対向する一対の第１の側板を有し、
これら両第１の側板はカバーの取外し方向に延びた挿入片を有し、
カバーは、一対の側板部と、これら両側板部の基端部間に連設された覆い板部と、保持部材に対して係脱自在な係合部とを有しており、
係合部は、挿入空間を有し、側板部の内側に設けられており、
カバーを取付け方向へ移動させて、挿入片を挿入空間に挿入することにより、係合部が保持部材に係合し、カバーが保持部材に取り付けられることを特徴とするケーブル保護装置。
【請求項２】
カバーを取外し方向へ移動させることによって、係合部が保持部材から離脱し、
カバーを取付け方向へ移動させることによって、係合部が保持部材に係合することを特徴とする請求項１記載のケーブル保護装置。
【請求項３】
保持部材はフレームの傾斜した下パイプに設けられ、
取付け方向が下パイプに沿った斜め上方向であり、
取外し方向が下パイプに沿った斜め下方向であることを特徴とする請求項２記載のケーブル保護装置。
【請求項４】
保持部材はフレームの傾斜した下パイプに設けられ、
取付け方向が下パイプに沿った斜め下方向であり、
取外し方向が下パイプに沿った斜め上方向であることを特徴とする請求項２記載のケーブル保護装置。
【請求項５】
係合部を保持部材に係合した状態でカバーを固定する固定装置が設けられていることを特徴とする請求項１から請求項４のいずれか１項に記載のケーブル保護装置。
【請求項６】
第２の部材は、両第１の側板間に脱抜自在に差し込まれる一対の第２の側板と、両第２の側板の基端部間に連設されてフレームの外面に対向する第２の保持板とを有し、
保持部材は、第２の部材が第１の部材から脱抜されるのを防止する抜け止め機構を有していることを特徴とする請求項１から請求項５のいずれか１項に記載のケーブル保護装置。
【請求項７】
抜け止め機構は、第１の部材の第１の側板に形成された孔部と、第２の部材の第２の側板に形成されて外側方へ突出する爪部とを有し、
爪部は、孔部に対して嵌脱自在であり、第２の部材の両第２の側板が第１の部材の両第１の側板間に差し込まれた状態で、第１の部材の内側から孔部に嵌り込むことを特徴とする請求項６記載のケーブル保護装置。
【請求項８】
保持部材がフレームに複数設けられ、
カバーは複数の係合部を有し、
カバーを取外し方向へ移動させることによって、全ての係合部が対応する複数の保持部材から一斉に離脱し、
カバーを取付け方向へ移動させることによって、全ての係合部が対応する複数の保持部材に一斉に係合することを特徴とする請求項１記載のケーブル保護装置。
【請求項９】
上記請求項１から請求項８のいずれか１項に記載のケーブル保護装置が備えられていることを特徴とする自転車。
【発明の詳細な説明】
【技術分野】
【０００１】
本発明は、ケーブル保護装置およびケーブル保護装置を備えた自転車に関する。
【背景技術】
【０００２】
従来、図２０，図２１に示すように、自転車に使用される複数本のケーブル１０１は保持部材１０２によってフレーム１０３に保持されている。保持部材１０２は、フレーム１０３に固定された凹形状の受け部材１０４と、受け部材１０４に対して着脱自在なキャップ１０５とを有している。尚、このような保持部材１０２は下記特許文献１に記載されている。
【０００３】
また、下記特許文献２には、図２２で示すように、自転車のフレームのダウンチューブ１１０がパイプ部１１１とケーブル保持部１１２とを一体に有し、ケーブル保持部１１２はケーブル収納用の凹溝１１３を有し、凹溝１１３の開口部分にキャップ１１４が着脱自在に係合し、凹溝１１３内に複数本のケーブル１１５が収納されている構成が開示されている。
【先行技術文献】
【特許文献】
【０００４】
【特許文献１】特開２００４−１７７８５
【特許文献２】特開２０００−３０２０７４
【発明の概要】
【発明が解決しようとする課題】
【０００５】
しかしながら上記図２０，図２１に示した従来形式では、保持部材１０２はフレーム１０３に所定間隔をあけて複数設けられているが、各保持部材１０２間においてはケーブル１０１が露出しているため、ケーブル１０１が、保持部材１０２と保持部材１０２との間で弛み、フレーム１０３から離れて外方（外側方又は下方）へはみ出してしまうといった問題がある。このように、ケーブル１０１がフレーム１０３からはみ出してしまうと、走行中にケーブル１０１のはみ出た部分が引っ掛かる虞がある。
【０００６】
また、上記図２２に示した従来形式では、複数本のケーブル１１５を凹溝１１３内に収納し、キャップ１１４を凹溝１１３の開口部分に取り付けることにより、上記のようにケーブル１１５がフレームからはみ出してしまうといった問題は解消される。しかしながら、ダウンチューブ１１０はパイプ部１１１とケーブル保持部１１２とを一体に有しているため、ダウンチューブ１１０の断面形状が複雑になり、ダウンチューブ１１０を押出加工により製作する必要があり、製作方法や材質が大幅に制限されてしまうといった問題がある。
【０００７】
本発明は、ケーブルがフレームからはみ出るのを防止することができるとともに、フレームの製作方法や材質等の制限を緩和して設計の自由度を高めることが可能なケーブル保護装置を提供することを目的とする。
【課題を解決するための手段】
【０００８】
上記目的を達成するために、本第１発明は、自転車のフレームに沿って保持されるケーブルの保護装置であって、
フレームに設けられてケーブルを保持する保持部材と、保持部材と共にケーブルを覆う着脱自在なカバーとを有し、
保持部材は、フレームに設けられる第１の部材と、第１の部材に着脱自在な第２の部材と、第１の部材と第２の部材とで囲まれた保持空間とを有し、
ケーブルは保持空間内に保持され、
第１の部材は相対向する一対の第１の側板を有し、
これら両第１の側板はカバーの取外し方向に延びた挿入片を有し、
カバーは、一対の側板部と、これら両側板部の基端部間に連設された覆い板部と、保持部材に対して係脱自在な係合部とを有しており、
係合部は、挿入空間を有し、側板部の内側に設けられており、
カバーを取付け方向へ移動させて、挿入片を挿入空間に挿入することにより、係合部が保持部材に係合し、カバーが保持部材に取り付けられるものである。
【０００９】
これによると、ケーブルは、保持部材より、フレームに沿って保持される。カバーの係合部を保持部材に係合することにより、カバーがフレームに沿って取り付けられ、ケーブルが保持部材と共にカバーで覆われる。
【００１０】
これにより、ケーブルはカバー内に収納され、ケーブルがフレームからから外方へはみ出してしまうのを防止することができる。また、カバーの係合部を保持部材に係合することによって、カバーを取り付けることができるため、保持部材とは別に、カバー取付専用の部材をフレームに特別に設ける必要は無い。したがって、フレームの断面形状を簡素化された形状にすることが可能となり、フレームの製作方法や材質等の制限が緩和されて、設計の自由度が高まる。
【００１１】
本第２発明におけるケーブル保護装置は、カバーを取外し方向へ移動させることによって、係合部が保持部材から離脱し、
カバーを取付け方向へ移動させることによって、係合部が保持部材に係合するものである。
【００１２】
これによると、カバーを取外し方向へ移動させることによって、係合部が保持部材から離脱するため、カバーを容易に取り外すことができる。また、カバーを取付け方向へ移動させることによって、係合部が保持部材に係合するため、カバーを容易に取り付けることができる。
【００１３】
本第３発明におけるケーブル保護装置は、保持部材はフレームの傾斜した下パイプに設けられ、
取付け方向が下パイプに沿った斜め上方向であり、
取外し方向が下パイプに沿った斜め下方向であるものである。
【００１４】
これによると、カバーを斜め下方向へ移動させることによって、カバーを容易に取り外すことができる。また、カバーを斜め上方向へ移動させることによって、カバーを容易に取り付けることができる。
【００１５】
また、利用者等が下パイプを下からつかんで自転車を持ち上げた場合、カバーには斜め上方向すなわち取付け方向の力が作用するため、カバーが不用意に取り外される心配は無い。
【００１６】
本第４発明におけるケーブル保護装置は、保持部材はフレームの傾斜した下パイプに設けられ、
取付け方向が下パイプに沿った斜め下方向であり、
取外し方向が下パイプに沿った斜め上方向であるものである。
【００１７】
これによると、カバーを斜め上方向へ移動させることによって、カバーを容易に取り外すことができる。また、カバーを斜め下方向へ移動させることによって、カバーを容易に取り付けることができる。
【００１８】
本第５発明におけるケーブル保護装置は、係合部を保持部材に係合した状態でカバーを固定する固定装置が設けられているものである。
これによると、カバーを取付けた状態で、固定装置によってカバーを固定することにより、カバーが不用意に取外し方向へ移動するのを防止することができるため、振動等によりカバーが不用意に外れることは無い。
【００１９】
本第６発明におけるケーブル保護装置は、第２の部材は、両第１の側板間に脱抜自在に差し込まれる一対の第２の側板と、両第２の側板の基端部間に連設されてフレームの外面に対向する第２の保持板とを有し、
保持部材は、第２の部材が第１の部材から脱抜されるのを防止する抜け止め機構を有しているものである。
【００２０】
これによると、ケーブルを第１の部材の一対の第１の側板間に挿入し、第２の部材の一対の第２の側板を両第１の側板間に差し込む。これにより、ケーブルは第１の部材と第２の部材とで囲まれた保持空間内に保持される。この際、抜け止め機構により、第２の部材が第１の部材から不用意に脱抜されるのを防止することができる。
【００２１】
本第７発明におけるケーブル保護装置は、抜け止め機構は、第１の部材の第１の側板に形成された孔部と、第２の部材の第２の側板に形成されて外側方へ突出する爪部とを有し、
爪部は、孔部に対して嵌脱自在であり、第２の部材の両第２の側板が第１の部材の両第１の側板間に差し込まれた状態で、第１の部材の内側から孔部に嵌り込むものである。
【００２２】
これによると、第２の部材の両第２の側板を第１の部材の両第１の側板間に差し込んだ際、爪部が孔部に嵌り込むことにより、第２の部材が第１の部材から不用意に脱抜されるのを防止することができる。
【００２３】
本第８発明におけるケーブル保護装置は、保持部材がフレームに複数設けられ、
カバーは複数の係合部を有し、
カバーを取外し方向へ移動させることによって、全ての係合部が対応する複数の保持部材から一斉に離脱し、
カバーを取付け方向へ移動させることによって、全ての係合部が対応する複数の保持部材に一斉に係合するものである。
【００２４】
これによると、カバーを取外し方向へ移動させることによって、全ての係合部が保持部材から一斉に離脱するため、カバーをワンタッチで容易に取り外すことができる。また、
カバーを取付け方向へ移動させることによって、全ての係合部が保持部材に一斉に係合するため、カバーをワンタッチで容易に取り付けることができる。
【００２５】
本第９発明は、上記第１発明から第８発明のいずれか１項に記載のケーブル保護装置が備えられていることを特徴とする自転車である。
【発明の効果】
【００２６】
以上のように本発明によると、ケーブルはカバー内に収納されるため、ケーブルがフレームからから外方へはみ出してしまうのを防止することができる。また、保持部材とは別に、カバー取付専用の部材をフレームに特別に設ける必要は無く、したがって、フレームの断面形状を簡素化することが可能となり、フレームの製作方法や材質等の制限が緩和されて、設計の自由度が高まる。
【図面の簡単な説明】
【００２７】
【図１】本発明の第１の実施の形態における自転車の図
【図２】同、自転車に取り付けられたケーブル保護装置の上部の斜視図
【図３】同、ケーブル保護装置の長手方向に沿った断面図
【図４】同、ケーブル保護装置の保持部材の斜視図
【図５】同、ケーブル保護装置の保持部材の第１の部材の平面図
【図６】同、ケーブル保護装置の保持部材の第１の部材の側面図
【図７】同、ケーブル保護装置の保持部材の第２の部材の一部切欠き正面図
【図８】同、ケーブル保護装置の保持部材の第２の部材の側面図
【図９】同、自転車の下パイプに取り付けられたケーブル保護装置の横断面図
【図１０】同、ケーブル保護装置のカバーの斜視図
【図１１】同、ケーブル保護装置のカバーの平面図
【図１２】図１０におけるＸ−Ｘ矢視図
【図１３】同、ケーブル保護装置のカバーの係合部を斜め後方から見た斜視図
【図１４】図１３におけるＸ−Ｘ矢視図
【図１５】同、ケーブル保護装置のカバーの係合部を斜め前方から見た斜視図
【図１６】同、ケーブル保護装置の固定具の斜視図
【図１７】本発明の第２の実施の形態における自転車の図
【図１８】同、自転車に取り付けられたケーブル保護装置の斜視図
【図１９】同、ケーブル保護装置のカバーの斜視図
【図２０】従来の自転車におけるケーブルを保持する保持部材の分解斜視図
【図２１】同、保持部材を取り付けた自転車のフレームの一部拡大側面図
【図２２】別の自転車におけるケーブル保持部を有するダウンチューブの横断面図
【発明を実施するための形態】
【００２８】
以下、本発明における実施の形態を、図面を参照して説明する。
（第１の実施の形態）
第１の実施の形態において、図１に示すように、１は電動自転車であり、フレーム２と、前車輪３と、後車輪４と、ハンドル５と、サドル６と、ハブモーターからなる電動機７と、電動機７に電力を供給するバッテリー８と、表示装置９等を備えている。電動機７は、前車輪３のハブ部分に設けられており、前車輪３に補助回転力を付与するものである。
【００２９】
フレーム２は、前ホーク１１と、ヘッドパイプ１２と、上パイプ１３と、下パイプ１４と、立パイプ１５と、バックホーク１６と、チェーンステー１７とを有している。下パイプ１４は、後部が下方に傾斜した直線状のパイプであり、図２に示すように円形又は楕円形の断面形状を有している。また、下パイプ１４と立パイプ１５とはＶ形状をなすように接合されている。
【００３０】
表示装置９は、バッテリー８の残量、電動機７によるアシスト率、走行速度、走行距離等の走行データを表示画面に表示するものであり、ハンドル５に取り付けられている。
図１，図２に示すように、電動機７とバッテリー８と表示装置９とはそれぞれ複数本のケーブル１９で電気的に接続されている。これらケーブル１９としては、バッテリー８から電動機７に電力を供給する給電用ケーブルや電動機７の電力線、通信用ケーブル等があり、電線や配線、コード、ワイヤー等も含んでいる。これらのケーブル１９は、フレーム２の下パイプ１４に沿って保持され、ケーブル保護装置２１により保護されている。
【００３１】
ケーブル保護装置２１は、複数のケーブル１９をまとめて保持する複数の保持部材２２と、保持部材２２と共にケーブル１９を覆う着脱自在なカバー２３と、カバー２３を固定する固定装置２４（図３参照）とを有している。
【００３２】
図２〜図４に示すように、各保持部材２２はそれぞれ、下パイプ１４の長さ方向において所定間隔をあけて配置されており、下パイプ１４の外周面に溶接等により下向きに設けられた第１の部材２６と、第１の部材２６に着脱自在な第２の部材２７とを有している。
【００３３】
図４〜図６に示すように、第１の部材２６は、左右方向において相対向する一対の第１の側板２９ａ，２９ｂと、両第１の側板２９ａ，２９ｂの上端部（基端部）間に連設された当て板３０とを有しており、下方が開放されたチャンネル形状（コの字形状）に形成されている。当て板３０は下パイプ１４の外周面に当て付けられている。また、両第１の側板２９ａ，２９ｂはそれぞれ、斜め下向きに延びた板状の挿入片３２ａ，３２ｂを有している。
【００３４】
図４，図７，図８に示すように、第２の部材２７は、左右方向において相対向する一対の第２の側板３５ａ，３５ｂと、両第２の側板３５ａ，３５ｂの下端部（基端部）間に連設された第２の保持板３６とを有しており、上方が開放されたチャンネル形状（コの字形状）に形成されている。図４，図９に示すように、両第２の側板３５ａ，３５ｂは、両第１の側板２９ａ，２９ｂ間に、下方から脱抜自在に差し込まれている。また、第２の保持板３６は当て板３０および下パイプ１４の外周面に下方から対向しており、保持部材２２は第１の部材２６と第２の部材２７とで囲まれた保持空間２８を有している。
【００３５】
図４〜図９に示すように、各保持部材２２は、第２の部材２７が第１の部材２６から脱抜されるのを防止する抜け止め機構３８を有している。抜け止め機構３８は、両第１の側板２９ａ，２９ｂに形成された孔部３９と、両第２の側板３５ａ，３５ｂに形成された爪部４０とを有している。尚、図７に示すように、爪部４０は、第２の側板３５ａ，３５ｂの一部を斜めに切り起こして、外側方へ突出させることにより形成されており、脱抜方向Ｃほど外側方への突出寸法が増大している。
【００３６】
爪部４０は、孔部３９に対して嵌脱自在であり、図９に示すように、両第２の側板３５ａ，３５ｂが両第１の側板２９ａ，２９ｂ間に差し込まれた状態で、第１の部材２６の内側から孔部３９に嵌り込む。尚、第１の部材２６と第２の部材２７とはそれぞれ薄い金属製の部材であり、第２の部材２７の材質には板ばね材が用いられ、これにより、第２の部材２７はある程度の弾性を有している。
【００３７】
図９〜図１２に示すように、カバー２３は、樹脂製であり、左右方向において相対向する一対の側板部４２ａ，４２ｂと、両方の側板部４２ａ，４２ｂの下端部（基端部）間に連設された覆い板部４３とを有しており、上方が開放されたチャンネル形状（コの字形状）に形成されている。
【００３８】
また、カバー２３は、各保持部材２２の挿入片３２ａ，３２ｂに対して係脱自在な複数の係合部４５ａ，４５ｂを有している。図１２〜図１５に示すように、係合部４５ａ，４５ｂは、側板部４２ａ，４２ｂの内側に設けられた逆Ｊ形状の係合板４６と、係合板４６の後端部と側板部４２ａ，４２ｂとに設けられている閉止板５１とを有している。
【００３９】
係合板４６は、側板部４２ａ，４２ｂの内側面に対向する対向片４７と、対向片４７の上部から側板部４２ａ，４２ｂに連設される連設片４８とを有する、逆Ｊ形状の部材である。尚、本実施の形態では、係合板４６を逆Ｊ形状に形成しているが、逆Ｌ形状に形成してもよい。
【００４０】
係合板４６の対向片４７と側板部４２ａ，４２ｂとの間には挿入空間５０が形成され、挿入空間５０の上方は連設片４８で閉止され、挿入空間５０の後端部（奥端部）は閉止板５１で閉止され、これにより、挿入空間５０は前方と下方とが開放されている。
【００４１】
図３，図１２の仮想線および図１４，図１５に示すように、各保持部材２２の挿入片３２ａ，３２ｂが各係合部４５ａ，４５ｂの挿入空間５０に挿入されることにより、各係合部４５ａ，４５ｂが保持部材２２に係合し、図１，図３，図９に示すように、カバー２３が各保持部材２２に取り付けられる。
【００４２】
図３に示すように、固定装置２４は、各係合部４５ａ，４５ｂを保持部材２２に係合した状態でカバー２３を固定する装置であり、下パイプ１４の外周面に設けられた固定具５４と、カバー２３に形成された固定部５５と、固定部５５を固定具５４に連結する固定用ねじ５６（連結部材の一例）とを有している。
【００４３】
図１６に示すように、固定具５４は、保持部材２２の第１の部材２６と同様に、第１の側板２９ａ，２９ｂと当て板３０とを有しており、さらに、いずれか片方の第１の側板２９ｂの先端から内側へ突出した固定片５７を備えている。この固定片５７にはねじ孔５８が形成されている。
【００４４】
図１０，図１１に示すように、固定部５５は、内側へ入り込む山形状の部位であり、カバー２３の覆い板部４３の後端部に形成されている。固定部５５には、カバー２３の内外に貫通する貫通孔５９が形成されている。図３に示すように、固定部５５が固定片５７に当て付けられ、固定用ねじ５６が貫通孔５９に挿入されてねじ孔５８にねじ込まれることにより、固定部５５が固定具５４に連結され、カバー２３が固定具５４に固定される。
【００４５】
以下、上記構成における作用を説明する。
図２，図９に示すように、複数本のケーブル１９をまとめて保持部材２２の第１の部材２６の両第１の側板２９ａ，２９ｂ間に挿入し、両第１の側板２９ａ，２９ｂ間に第２の部材２７の両第２の側板３５ａ，３５ｂを差し込むことにより、ケーブル１９は、下パイプ１４に沿って、複数の保持部材２２の保持空間２８内に保持される。この際、爪部４０が孔部３９に嵌り込むことにより、第２の部材２７が第１の部材２６から不用意に脱抜されるのを防止することができる。また、保持空間２８を広く確保することができるため、より多くのケーブル１９を保持部材２２で保持することができる。
【００４６】
その後、ケーブル１９を覆うようにしてカバー２３を下パイプ１４の外周面に沿わせ、この状態で、カバー２３を斜め上方向Ａ（取付け方向の一例）へ移動させる。これにより、図１２，図１４，図１５に示すように、全ての保持部材２２の挿入片３２ａ，３２ｂが一斉にカバー２３の各係合部４５ａ，４５ｂの挿入空間５０に挿入され、全ての係合部４５ａ，４５ｂが各保持部材２２に一斉に係合するため、図１，図２，図９に示すように、カバー２３をワンタッチで容易に下パイプ１４に沿って取り付けることができる。
【００４７】
ケーブル１９は保持部材２２と共にカバー２３で覆われてカバー２３内に収納されるため、ケーブル１９が下パイプ１４から外方（下方および側方）へはみ出してしまうのを防止することができる。
【００４８】
また、カバー２３の係合部４５ａ，４５ｂを保持部材２２に係合することによって、カバー２３を取り付けることができるため、保持部材２２とは別に、カバー取付専用の部材を下パイプ１４に特別に設ける必要は無い。したがって、図９に示すように、下パイプ１４の断面形状を円形状或は楕円形状等の簡素化された形状にすることが可能となり、フレーム２の製作方法や材質等の制限が緩和されて、設計の自由度が高まる。
【００４９】
上記のようにしてカバー２３を取り付けた際、図３に示すように、カバー２３の固定部５５が固定具５４の固定片５７に当て付けられ、貫通孔５９の位置とねじ孔５８の位置とが合致する。固定用ねじ５６を貫通孔５９に挿入してねじ孔５８に螺合し締め込むことにより、固定部５５が固定具５４に連結され、カバー２３が固定具５４に固定される。これにより、カバー２３が不用意に斜め下方向Ｂ（取外し方向の一例）へ移動するのを防止することができるため、振動等によりカバー２３が不用意に外れることは無い。
【００５０】
尚、カバー２３を取り外す場合は、先ず、固定用ねじ５６を取り外して、カバー２３の固定を解除し、その後、カバー２３を斜め下方向Ｂへ移動させる。これにより、図１５に示すように、全ての保持部材２２の挿入片３２ａ，３２ｂが一斉にカバー２３の各係合部４５ａ，４５ｂの挿入空間５０から脱抜され、全ての係合部４５ａ，４５ｂが各保持部材２２から一斉に離脱するため、カバー２３をワンタッチで容易に取り外すことができる。
【００５１】
尚、図１に示すように、カバー２３を取付けた状態で、利用者等が下パイプ１４を下からつかんで自転車１を持ち上げた場合、カバー２３には斜め上方向Ａすなわち取付け方向の力が作用するため、カバー２３が不用意に取り外される心配は無い。
【００５２】
（第２の実施の形態）
第２の実施の形態では、図１７〜図１９に示すように、下パイプ１４は、後部が下方に傾斜するとともに後端部がほぼ水平方向に湾曲したパイプであり、図１８に示すように円形又は楕円形の断面形状を有している。また、下パイプ１４と立パイプ１５とはＵ形状をなすように接合されている。
【００５３】
第１の実施の形態と同様に、ケーブル保護装置２１は、複数の保持部材２２と、カバー２３と、固定装置２４とを有している。尚、カバー２３の形状は、その下部が下パイプ１４の形状に合わせて弓なりに湾曲している。また、カバー２３の下部の湾曲している部分の覆い板部４３には、内外に貫通する水抜き孔８１が形成されている。
【００５４】
これによると、第１の実施の形態と同様な作用・効果が得られる。また、カバー２３を取付けた状態で、降雨等によりカバー２３内に水が浸入しても、水抜き孔８１を通って外部へ排水されるため、水がカバー２３の下部湾曲部分の内側に溜まるのを防止することができる。
【００５５】
（第３の実施の形態）
上記第１および第２の実施の形態では、図３，図１８に示すように、カバー２３を下パイプ１４に沿って斜め上方向Ａへ移動させて取り付け、カバー２３を下パイプ１４に沿って斜め下方向Ｂへ移動させて取り外しているが、本第３の実施の形態では、取付け方向と取外し方向とをそれぞれ反対にし、カバー２３を下パイプ１４に沿って斜め上方向Ａへ移動させて取り外し、カバー２３を下パイプ１４に沿って斜め下方向Ｂへ移動させて取付けるように構成している。
【００５６】
すなわち、本第３の実施の形態では、第１および第２の実施の形態とは上下逆向きに保持部材２２を下パイプ１４に取り付けて、保持部材２２の挿入片３２ａ，３２ｂを斜め上向きにする。
【００５７】
また、カバー２３の係合部４５ａ，４５ｂを第１および第２の実施の形態とは上下逆向きに形成して、係合部４５ａ，４５ｂの閉止板５１を係合板４６の前端部に形成し、挿入空間５０の前端部を閉止板５１で閉止する。
【００５８】
これによると、カバー２３を斜め上方向Ａへ移動させることによって、各保持部材２２の挿入片３２ａ，３２ｂがカバー２３の各係合部４５ａ，４５ｂの挿入空間５０から脱抜され、各係合部４５ａ，４５ｂが各保持部材２２から離脱するため、カバー２３をワンタッチで容易に取り外すことができる。
【００５９】
また、カバー２３を斜め下方向Ｂへ移動させることによって、各保持部材２２の挿入片３２ａ，３２ｂがカバー２３の各係合部４５ａ，４５ｂの挿入空間５０に挿入され、各係合部４５ａ，４５ｂが各保持部材２２に係合するため、カバー２３をワンタッチで容易に取付けることができる。
【００６０】
上記各実施の形態では、カバー２３をフレーム２の下パイプ１４に取付けているが、下パイプ１４に限定されるものではなく、例えば、上パイプ１３や前ホーク１１等に取り付けてもよい。
【００６１】
上記各実施の形態では、カバー２３を電動自転車１のフレーム２に取り付けているが、電動自転車１に限定されるものではなく、電動機７やバッテリー８を備えていない汎用タイプの自転車にカバー２３を取り付けてもよい。
【産業上の利用可能性】
【００６２】
本発明は、自転車のフレームに取り付けられるケーブル保護装置を記載しているが、自転車以外の車両のフレームに適用することも可能である。
【符号の説明】
【００６３】
１      電動自転車
２      フレーム
１４    下パイプ
１９    ケーブル
２１    ケーブル保護装置
２２    保持部材
２３    カバー
２４    固定装置
２６    第１の部材
２７    第２の部材
２９ａ，２９ｂ    第１の側板
３５ａ，３５ｂ    第２の側板
３６    第２の保持板
３８    抜け止め機構
３９    孔部
４０    爪部
４５ａ，４５ｂ    係合部
Ａ      斜め上方向（取付け方向，取外し方向）
Ｂ      斜め下方向（取外し方向，取付け方向）
【図１】
0005899444.tif 000002
【図２】
0005899444.tif 000003
【図３】
0005899444.tif 000004
【図４】
0005899444.tif 000005
【図５】
0005899444.tif 000006
【図６】
0005899444.tif 000007
【図７】
0005899444.tif 000008
【図８】
0005899444.tif 000009
【図９】
0005899444.tif 000010
【図１０】
0005899444.tif 000011
【図１１】
0005899444.tif 000012
【図１２】
0005899444.tif 000013
【図１３】
0005899444.tif 000014
【図１４】
0005899444.tif 000015
【図１５】
0005899444.tif 000016
【図１６】
0005899444.tif 000017
【図１７】
0005899444.tif 000018
【図１８】
0005899444.tif 000019
【図１９】
0005899444.tif 000020
【図２０】
0005899444.tif 000021
【図２１】
0005899444.tif 000022
【図２２】
0005899444.tif 000023